(57)【要約】【課題】操作部を簡素化することができ、使い勝手の良い誘導加熱調理器の提供。【解決手段】本体と、本体内に配置された加熱コイルと、被加熱物を加熱する加熱条件を設定する操作部と、操作部で設定される加熱条件を表示する表示部と、操作部で設定された加熱条件に応じて加熱コイルを制御する制御部と、を備え、操作部は、第１のスイッチと、複数の加熱メニューの中から加熱メニューを選択するスイッチ及び被加熱物を加熱する火力を減少させるスイッチとして動作する第２のスイッチと、を有しており、制御部は、加熱メニューが設定されていない場合は、第１のスイッチ及び第２のスイッチを加熱メニューを選択するスイッチとするとともに、加熱メニューが設定された場合は、第１のスイッチを火力を増加させるスイッチとするとともに、第２のスイッチを火力を減少させるスイッチとする、誘導加熱調理器。【選択図】図１
2018049712.tif 000002
【特許請求の範囲】
【請求項１】
被加熱物が載置されるトッププレートを有する本体と、
前記本体内に配置されており、前記トッププレートに載置された被加熱物を誘導加熱する加熱コイルと、
前記トッププレートに載置された被加熱物を加熱する加熱条件を設定する操作部と、
前記操作部で設定される加熱条件を表示する表示部と、
前記操作部で設定された加熱条件に応じて前記加熱コイルに供給される高周波電流を制御する制御部と、
を備え、
前記操作部は、予め設定された複数の加熱メニューの中から前記トッププレートに載置された被加熱物を加熱する加熱メニューを選択するスイッチ及び前記トッププレートに載置された被加熱物を加熱する火力を増加させるスイッチとして動作する第１のスイッチと、予め設定された複数の加熱メニューの中から前記トッププレートに載置された被加熱物を加熱する加熱メニューを選択するスイッチ及び前記トッププレートに載置された被加熱物を加熱する火力を減少させるスイッチとして動作する第２のスイッチと、を有しており、
前記制御部は、前記トッププレートに載置された被加熱物を加熱する加熱メニューが設定されていない場合は、前記第１のスイッチ及び前記第２のスイッチを前記トッププレートに載置された被加熱物を加熱する加熱メニューを選択するスイッチとするとともに、前記トッププレートに載置された被加熱物を加熱する加熱メニューが設定された場合は、前記第１のスイッチを前記トッププレートに載置された被加熱物を加熱する火力を増加させるスイッチとするとともに、前記第２のスイッチを前記トッププレートに載置された被加熱物を加熱する火力を減少させるスイッチとする、
誘導加熱調理器。
【請求項２】
前記トッププレートに載置された被加熱物を加熱する加熱メニューが設定されていない状態において、前記第１のスイッチまたは前記第２のスイッチが操作されると、予め設定された第１の加熱メニューが選択される、請求項１に記載の誘導加熱調理器。
【請求項３】
前記第１の加熱メニューが選択された状態において、前記第１のスイッチが操作されると、予め設定された第２の加熱メニューが選択されるとともに、前記第１の加熱メニューが選択された状態において、前記第２のスイッチが操作されると、予め設定された第３のメニューが選択される、請求項２に記載の誘導加熱調理器。
【請求項４】
前記第１のスイッチ及び前記第２のスイッチは、隣接して配置されており、
前記第１のスイッチ及び前記第２のスイッチが予め設定された複数の加熱メニューの中から前記トッププレートに載置された被加熱物を加熱する加熱メニューを選択するスイッチとして動作している場合、前記表示部には、前記第１のスイッチ及び前記第２のスイッチによって加熱メニューが選択可能であることを使用者に報知する第１の表示が表示されており、
前記第１の表示は、前記第１の表示の少なくとも一部が前記第１のスイッチ及び前記第２のスイッチの左右幅の範囲内に位置している、請求項１〜請求項３のうちの何れか１項に記載の誘導加熱調理器。
【請求項５】
前記第１の表示は、図形と文字との組み合わせからなる、請求項４に記載の誘導加熱調理器。
【請求項６】
前記第１の表示は、複数の図形と前記複数の図形の間に配置された文字との組み合わせからなる、請求項４または５に記載の誘導加熱調理器。
【発明の詳細な説明】
【技術分野】
【０００１】
本発明は、誘導加熱調理器に関する。
【背景技術】
【０００２】
従来、この種の誘導加熱調理器においては、制御命令の数を減らすことなく、トッププレートに配列するスイッチの数を低減すべく、操作部に配置された複数のスイッチに、複数の制御命令が割り当てられたスイッチを少なくとも一つ含む構成が提案されている（例えば、特許文献１参照）。
【０００３】
例えば、図７に示すように、従来の誘導加熱調理器は、調理容器が載置されるトッププレート２０１と、誘導次回を発生して調理容器を誘導加熱する加熱コイルと、各々制御命令が割り当てられた複数のスイッチを含む操作部２０２と、スイッチが押下されることにより入力された制御命令に応じて、加熱コイルに高周波電流を供給する制御部と、を有している。操作部２０２には、各スイッチの操作の有効／無効を制御するためのロックの設定／解除の制御命令と、揚げ物、湯沸かし、及び炊飯の調理メニューを選択する制御命令との２つの制御命令が割り当てられたスイッチ２０２ｂと、加熱の切／入を制御する加熱切／入スイッチ２０２ａと、火力の上げ下げや温度を調節する調節スイッチ２０２ｃ及び２０２ｄと、加熱時間を設定するタイマースイッチ２０２ｅとが配置されている。
【０００４】
そして、従来の誘導加熱調理器においては、誘導加熱調理器の電源が投入された状態では、スイッチ２０２ａ及び２０２ｃ〜２０２ｅの操作を無効にするようにロックが掛けられており、スイッチ２０２ｂはスイッチ２０２ａ及び２０２ｃ〜２０２ｅのロックを解除する制御命令が割り当てられたロック解除スイッチとなっている。この状態で、ロック解除スイッチであるスイッチ２０２ｂが押下されると、スイッチ２０２ａ及び２０２ｃ〜２０２ｅのロックが解除される。また、従来の誘導加熱調理器においては、スイッチ２０２ａ及び２０２ｃ〜２０２ｅのロックが解除された状態で、タイマースイッチ２０２ｅが押下されると、スイッチ２０２ｂは調理メニューを選択する制御命令が割り当てられたメニュースイッチに切り替わるように構成されており、メニュースイッチであるスイッチ２０２ｂが押下される度に、揚げ物、湯沸し、及び炊飯のモードが順次選択されるように公正されている。さらに、従来の誘導加熱調理器においては、メニュースイッチであるスイッチ２０２ｂによって所定の調理メニューが選択された状態で、加熱切／入スイッチ２０２ａがスイッチ２０２ｂによって選択された所定の調理メニューでの加熱が開始されるように構成されている。
【先行技術文献】
【特許文献】
【０００５】
【特許文献１】特開２００８−２１８１０３号公報
【発明の概要】
【発明が解決しようとする課題】
【０００６】
上記従来の誘導加熱調理器においては、調理メニューを選択する一つのスイッチの操作回数に応じて、加熱メニューが一方向で順次選択される構成である。そのため、調理メニューを選択するスイッチで選択できる加熱メニューの数が多い場合、使用者が複数の加熱メニューの後半にある加熱メニューを選択する場合、使用者は調理メニューを選択するスイッチを複数回操作しなければならず、調理メニューを選択するための操作の回数が多くなってしまい、使い勝手が悪くなる場合があった。また、使用者が調理メニューを選択するためのスイッチの操作回数を誤ってしまい、選択したい加熱メニューを行き過ぎてしま
った場合、使用者は、選択したい加熱メニューに選択を戻すために調理メニューを選択するスイッチをさらに複数回操作し、加熱メニューを一巡させたり、加熱メニューの選択を途中で中止し、加熱メニューの選択を最初からやり直したりしなければならず、使い勝手が悪くなる場合があった。また、上記従来の誘導加熱調理器においては、少なくとも調理メニューを選択する制御命令を含む複数の制御命令が割り当てられたスイッチとは別に、複数の制御命令の中から調理メニューを選択する制御命令を有効にするためのスイッチを配置する必要があり、操作部の構成が複雑化してしまう場合があった。
【０００７】
そこで、従来の誘導加熱調理器においては、誘導加熱調理器の使い勝手を向上させるべく、トッププレートに載置された被加熱物を加熱する火力を増加させる制御命令及び調理メニューを選択する制御命令が割り当てられたスイッチと、トッププレートに載置された被加熱物を加熱する火力を減少させる制御命令及び調理メニューを選択する制御命令が割り当てられたスイッチと、火力を増加または減少させる制御命令と調理メニューを選択する制御命令とを切り替えるスイッチとを有し、制御命令を切り替えるスイッチが操作され、調理メニューを選択する制御命令が有効にされると、火力を増加または減少させるスイッチで調理メニューが選択できる構成が提案されている。また、この構成においては、火力を増加させるスイッチ及び火力を減少させるスイッチの操作に応じて、調理メニューが異なる方向で順次選択されるように構成されている。
【０００８】
しかしながら、上記従来の誘導加熱調理器においても、誘導加熱調理器の操作部を簡素化するとともに、誘導加熱調理器の使い勝手を向上させるという観点からは未だ改善の余地があった。
【０００９】
すなわち、上記従来の誘導加熱調理器においては、火力を増加または減少させる制御命令と調理メニューを選択する制御命令とが割り当てられたスイッチとは別に、複数の制御命令の中から調理メニューを選択する制御命令を有効にするためのスイッチを配置する必要があるため、操作部の構成が複雑化してしまい、誘導加熱調理器の使い勝手が悪くなってしまう場合があった。
【００１０】
本発明は、上記従来技術の有する課題を解決するために成されたものであり、操作部を簡素化することができるとともに、使い勝手の良い誘導加熱調理器を提供することを目的とする。
【課題を解決するための手段】
【００１１】
上記従来技術の有する課題を解決するために、本発明は、被加熱物が載置されるトッププレートを有する本体と、本体内に配置されており、トッププレートに載置された被加熱物を誘導加熱する加熱コイルと、トッププレートに載置された被加熱物を加熱する加熱条件を設定する操作部と、操作部で設定される加熱条件を表示する表示部と、操作部で設定された加熱条件に応じて加熱コイルに供給される高周波電流を制御する制御部と、を備え、操作部は、予め設定された複数の加熱メニューの中からトッププレートに載置された被加熱物を加熱する加熱メニューを選択するスイッチ及びトッププレートに載置された被加熱物を加熱する火力を増加させるスイッチとして動作する第１のスイッチと、予め設定された複数の加熱メニューの中からトッププレートに載置された被加熱物を加熱する加熱メニューを選択するスイッチ及びトッププレートに載置された被加熱物を加熱する火力を減少させるスイッチとして動作する第２のスイッチと、を有しており、制御部は、トッププレートに載置された被加熱物を加熱する加熱メニューが設定されていない場合は、第１のスイッチ及び第２のスイッチをトッププレートに載置された被加熱物を加熱する加熱メニューを選択するスイッチとするとともに、トッププレートに載置された被加熱物を加熱する加熱メニューが設定された場合は、第１のスイッチをトッププレートに載置された被加熱物を加熱する火力を増加させるスイッチとするとともに、第２のスイッチをトッププレ
ートに載置された被加熱物を加熱する火力を減少させるスイッチとする、誘導加熱調理器としたものである。
【００１２】
これにより、制御部は、トッププレートに載置された被加熱物を加熱する加熱メニューが設定されていない場合は、第１のスイッチ及び第２のスイッチをトッププレートに載置された被加熱物を加熱する加熱メニューを選択するスイッチとするため、第１のスイッチ及び第２のスイッチとは別に、第１のスイッチ及び第２のスイッチを被加熱物の加熱メニューを選択するスイッチとするためのスイッチを操作部に配置することなく、第１のスイッチ及び第２のスイッチによって、被加熱物を加熱する加熱メニューを選択することができる。そのため、操作部の構成を簡素化することができ、誘導加熱調理器の使い勝手を向上させることができる。
【００１３】
また、使用者は第１のスイッチ及び第２のスイッチの２つのスイッチによって複数の加熱メニューの中から所定の加熱メニューを選択することができるため、例えば、第１のスイッチが操作されるごとに選択される加熱メニューの順序と第２のスイッチが操作されるごとに選択される加熱メニューの順序とが逆の順序となるように構成することで、誘導加熱調理器に予め設定されている加熱メニューの数が多い場合であっても、加熱メニューを選択するためのスイッチが１つだけ配置されている構成に比べ、使用者が選択したい加熱メニューを選択するまでに第１のスイッチまたは第２のスイッチを操作する回数を低減することができ、誘導加熱調理器の使い勝手を向上させることができる。また、使用者が第１のスイッチ及び第２のスイッチの操作回数を誤ってしまい、選択したい加熱メニューを行き過ぎてしまった場合でも、誤って操作したスイッチとは逆のスイッチを操作することで、加熱メニューの選択を戻すことができるため、少ない操作回数で選択したい加熱メニューを、使い勝手を向上することができる。
【００１４】
さらに、制御部は、トッププレートに載置された被加熱物を加熱する加熱メニューが設定された場合は、第１のスイッチをトッププレートに載置された被加熱物を加熱する火力を増加させるスイッチとするとともに、第２のスイッチをトッププレートに載置された被加熱物を加熱する火力を減少させるスイッチとするため、第１のスイッチ及び第２のスイッチとは別に、第１のスイッチ及び第２のスイッチをトッププレートに載置された被加熱物を加熱する火力を増加及び減少させるスイッチとするためのスイッチを操作部に配置することなく、第１のスイッチ及び第２のスイッチによって、被加熱物を加熱する火力を増加及び減少させることができる。そのため、操作部の構成を簡素化することができ、誘導加熱調理器の使い勝手を向上させることができる。
【発明の効果】
【００１５】
本発明の誘導加熱調理器によれば、操作部を簡素化することができるとともに、使い勝手の良い誘導加熱調理器を提供することができる。
【図面の簡単な説明】
【００１６】
【図１】本発明の実施の形態１における誘導加熱調理器の概略図
【図２】本発明の実施の形態１におけるトッププレートの上面図
【図３】（ａ）本発明の実施の形態１において、電源が投入前の表示部の表示状態を示す図、（ｂ）本発明の実施の形態１において、電源が投入されたときの表示部の表示状態を示す図、（ｃ）本発明の実施の形態１における加熱メニューが設定されていない状態において第１のスイッチが操作され、「加熱」が選択されたときの表示部の表示状態を示す図、（ｄ）本発明の実施の形態１における加熱メニューが設定されていない状態において第２のスイッチが操作され、「揚げ物」が選択されたときの表示部の表示状態を示す図、（ｅ）本発明の実施の形態１における加熱メニューが設定された状態において第１のスイッチまたは第２のスイッチが操作され、「焼き物」が選択されたときの表示部の表示状態を示す図、（ｆ）本発明の実施の形態１において、加熱メニューとして「焼き物」が設定されたときの表示部の表示状態を示す図
【図４】本発明の実施の形態２における加熱メニュー選択時のフローチャート図
【図５】本発明の実施の形態３における第１の表示が表示された状態を示す表示部の概略図
【図６】本発明の実施の形態４における第１の表示の変形例が表示された状態を示す表示部の概略図
【図７】従来の誘導加熱調理器のトッププレートを示す上面図
【発明を実施するための形態】
【００１７】
第１の発明は、被加熱物が載置されるトッププレートを有する本体と、本体内に配置されており、トッププレートに載置された被加熱物を誘導加熱する加熱コイルと、トッププレートに載置された被加熱物を加熱する加熱条件を設定する操作部と、操作部で設定される加熱条件を表示する表示部と、操作部で設定された加熱条件に応じて加熱コイルに供給される高周波電流を制御する制御部と、を備え、操作部は、予め設定された複数の加熱メニューの中からトッププレートに載置された被加熱物を加熱する加熱メニューを選択するスイッチ及びトッププレートに載置された被加熱物を加熱する火力を増加させるスイッチとして動作する第１のスイッチと、予め設定された複数の加熱メニューの中からトッププレートに載置された被加熱物を加熱する加熱メニューを選択するスイッチ及びトッププレートに載置された被加熱物を加熱する火力を減少させるスイッチとして動作する第２のスイッチと、を有しており、制御部は、トッププレートに載置された被加熱物を加熱する加熱メニューが設定されていない場合は、第１のスイッチ及び第２のスイッチをトッププレートに載置された被加熱物を加熱する加熱メニューを選択するスイッチとするとともに、トッププレートに載置された被加熱物を加熱する加熱メニューが設定された場合は、第１のスイッチをトッププレートに載置された被加熱物を加熱する火力を増加させるスイッチとするとともに、第２のスイッチをトッププレートに載置された被加熱物を加熱する火力を減少させるスイッチとする、誘導加熱調理器としたものである。
【００１８】
これにより、制御部は、トッププレートに載置された被加熱物を加熱する加熱メニューが設定されていない場合は、第１のスイッチ及び第２のスイッチをトッププレートに載置された被加熱物を加熱する加熱メニューを選択するスイッチとするため、第１のスイッチ及び第２のスイッチとは別に、第１のスイッチ及び第２のスイッチを被加熱物の加熱メニューを選択するスイッチとするためのスイッチを操作部に配置することなく、第１のスイッチ及び第２のスイッチによって、被加熱物を加熱する加熱メニューを選択することができる。そのため、操作部の構成を簡素化することができ、誘導加熱調理器の使い勝手を向上させることができる。
【００１９】
また、使用者は第１のスイッチ及び第２のスイッチの２つのスイッチによって複数の加熱メニューの中から所定の加熱メニューを選択することができるため、例えば、第１のスイッチが操作されるごとに選択される加熱メニューの順序と第２のスイッチが操作されるごとに選択される加熱メニューの順序とが逆の順序となるように構成することで、誘導加熱調理器に予め設定されている加熱メニューの数が多い場合であっても、加熱メニューを選択するためのスイッチが１つだけ配置されている構成に比べ、使用者が選択したい加熱メニューを選択するまでに第１のスイッチまたは第２のスイッチを操作する回数を低減することができ、誘導加熱調理器の使い勝手を向上させることができる。また、使用者が第１のスイッチ及び第２のスイッチの操作回数を誤ってしまい、選択したい加熱メニューを行き過ぎてしまった場合でも、誤って操作したスイッチとは逆のスイッチを操作することで、加熱メニューの選択を戻すことができるため、少ない操作回数で選択したい加熱メニューを選択することができ、使い勝手を向上することができる。
【００２０】
さらに、制御部は、トッププレートに載置された被加熱物を加熱する加熱メニューが設定された場合は、第１のスイッチをトッププレートに載置された被加熱物を加熱する火力を増加させるスイッチとするとともに、第２のスイッチをトッププレートに載置された被加熱物を加熱する火力を減少させるスイッチとするため、第１のスイッチ及び第２のスイッチとは別に、第１のスイッチ及び第２のスイッチをトッププレートに載置された被加熱物を加熱する火力を増加及び減少させるスイッチとするためのスイッチを操作部に配置することなく、第１のスイッチ及び第２のスイッチによって、被加熱物を加熱する火力を増加及び減少させることができる。そのため、操作部の構成を簡素化することができ、誘導加熱調理器の使い勝手を向上させることができる。
【００２１】
第２の発明は、特に、第１の発明において、トッププレートに載置された被加熱物を加熱する加熱メニューが設定されていない状態において、第１のスイッチまたは第２のスイッチが操作されると、予め設定された第１の加熱メニューが選択される構成としたものである。
【００２２】
これにより、例えば、第１の加熱メニューとして、複数の加熱メニューの中で使用頻度の高い加熱メニューを予め設定しておくことで、トッププレートに載置された被加熱物を加熱する加熱メニューを選択する際に、第１のスイッチまたは第２のスイッチの最初の操作で使用頻度の高い加熱メニューを選択することができ、誘導加熱調理器の使い勝手を向上させることができる。
【００２３】
第３の発明は、特に、第２の発明において、第１の加熱メニューが選択された状態において、第１のスイッチが操作されると、予め設定された第２の加熱メニューが選択されるとともに、第１の加熱メニューが選択された状態において、第２のスイッチが操作されると、予め設定された第３のメニューが選択される構成としたものである。
【００２４】
これにより、第１の加熱メニューが選択された後に、第１のスイッチまたは第２のスイッチが操作されると、操作されたスイッチに応じて異なる加熱メニューを選択される構成になる。そのため、使用者が選択したい加熱メニューを選択するまでに第１のスイッチまたは第２のスイッチを操作する回数を低減することができ、誘導加熱調理器の使い勝手を向上させることができる。
【００２５】
第４の発明は、特に、第１〜第３の発明において、第１のスイッチ及び第２のスイッチは、隣接して配置されており、第１のスイッチ及び第２のスイッチが予め設定された複数の加熱メニューの中からトッププレートに載置された被加熱物を加熱する加熱メニューを選択するスイッチとして動作している場合、表示部には、第１のスイッチ及び第２のスイッチによって加熱メニューが選択可能であることを使用者に報知する第１の表示が表示されており、第１の表示は、第１の表示の少なくとも一部が第１のスイッチ及び第２のスイッチの左右幅の範囲内に位置している構成としたものである。
【００２６】
これにより、第１のスイッチ及び第２のスイッチがトッププレートに載置された被加熱物を加熱する加熱メニューを選択するスイッチとされていることを使用者に報知することができる。そのため、使用者は、第１のスイッチ及び第２のスイッチが加熱メニューを選択するスイッチとされていることを容易に判別することができるため、誘導加熱調理器の使い勝手を向上させることができる。
【００２７】
第５の発明は、特に、第４の発明において、第１の表示は、図形と文字との組み合わせからなる構成としたものである。
【００２８】
これにより、例えば、スイッチ操作を促す形状を図形で表現し、第１のスイッチおよび
第２のスイッチが加熱メニューを選択するスイッチとされていることを文字によって表現するなど、多種多様な表現が可能となる。そのため、使用者は、第１のスイッチ及び第２のスイッチが加熱メニューを選択するスイッチとされていることをより容易に判別することができ、誘導加熱調理器の使い勝手をさらに向上させることができる。
【００２９】
第６の発明は、特に、第４または第５の発明において、第１の表示は、複数の図形と複数の図形の間に配置された文字との組み合わせからなる構成としたものである。
【００３０】
これにより、第１の表示の複数の図形と文字に一体感をもたせることが可能となり、第１の表示の視認性を向上させることができる。そのため、使用者は、第１のスイッチ及び第２のスイッチが加熱メニューを選択するスイッチとされていることをより容易に判別することができ、誘導加熱調理器の使い勝手を向上させることができる。
【００３１】
以下、図面を参照しながら本発明の誘導加熱調理器の好適な実施の形態について詳細に説明する。なお、以下の説明では、同一または相当部分に同一符号を付し、重複する説明は省略する。
【００３２】
（実施の形態１）
本発明の誘導加熱調理器の実施の形態１について、以下、図１〜図３を用いて説明する。
【００３３】
図１は、本発明の実施の形態１における誘導加熱調理器の概略図である。また、図２は、本発明の実施の形態１におけるトッププレートの上面図である。
【００３４】
図１に示すように、本実施の形態における誘導加熱調理器１００は、被加熱物１が載置されるトッププレート２を有する本体３と、本体３内に配置されており、トッププレート２に載置された被加熱物１を誘導加熱する加熱コイル４と、トッププレート２に載置された被加熱物１を加熱する加熱条件を設定する操作部７と、操作部７で設定される加熱条件を表示する表示部８と、操作部７で設定された加熱条件に応じて加熱コイル４に供給される高周波電流を制御する制御部９と、を有している。
【００３５】
図２に示すように、操作部７及び表示部８はトッププレートの前方に配置されている。ここで、本実施の形態において、「前方」とは、キッチンカウンターなどに誘導加熱調理器１００が配置された状態において使用者に近い側である。
【００３６】
また、図２に示すように、トッププレート２の上面には、被加熱物１が載置される位置である加熱部１１が複数形成されており、複数の加熱部１１の下方には、加熱コイル４がそれぞれ配置されている。
【００３７】
図２に示すように、操作部７は、誘導加熱調理器１００に電源を投入する電源スイッチ１０と、予め設定された複数の加熱メニューの中からトッププレート２に載置された被加熱物１を加熱する加熱メニューを選択するスイッチ及びトッププレート２に載置された被加熱物１を加熱する火力を増加させるスイッチとして動作する第１のスイッチ５と、予め設定された複数の加熱メニューの中からトッププレート２に載置された被加熱物１を加熱する加熱メニューを選択するスイッチ及びトッププレート２に載置された被加熱物１を加熱する火力を減少させるスイッチとして動作する第２のスイッチ６と、第１のスイッチ５及び第２のスイッチ６で選択された加熱メニューや火力などを確定させ、被加熱物１を加熱する加熱条件として設定するスタートスイッチ１２と、を有している。また、第１のスイッチ５、第２のスイッチ６、及び、決定スイッチ７ａは、トッププレート２に形成された加熱部１１に対応して配置されている。
【００３８】
表示部８には、第１のスイッチ５及び第２のスイッチ６で選択される加熱メニューが表示される。また、表示部８には、第１のスイッチ５及び第２のスイッチ６で選択される加熱メニューの他に、例えば、被加熱物１を加熱する火力や、設定した時間が経過すると加熱を停止させる機能をもつタイマーの残り時間など、操作部７で設定される加熱条件が表示される。
【００３９】
ここで、第１のスイッチ５及び第２のスイッチ６で選択される加熱メニューとしては、例えば、加熱、揚げ物、焼き物、及び湯沸しなどが予め設定されている。また、制御部９は、第１のスイッチ５及び第２のスイッチ６で設定された火力、被加熱物１の温度、加熱開始からの時間などの情報を基に、加熱メニューに応じて予め設定された制御方法に従って加熱コイル４に供給される高周波電流を制御している。
【００４０】
以上のように構成された誘導加熱調理器１００について、以下、図３を加えて、その動作、作用を説明する。なお、以下においては、加熱メニューとして、被加熱物１の加熱を行う「加熱」、被加熱物１を加熱し、被加熱物１に収容された調理物を焼く「焼き物」、及び、被加熱物１を加熱し、被加熱物１内に収容された多量の油で調理物を揚げる「揚げ物」が誘導加熱調理器１００に予め設定されている構成について説明する。
【００４１】
図３（ａ）は、本発明の実施の形態１において、電源が投入前の表示部の表示状態を示す図であり、図３（ｂ）は、本発明の実施の形態１において、電源が投入されたときの表示部の表示状態を示す図であり、図３（ｃ）は、本発明の実施の形態１における加熱メニューが設定されていない状態において第１のスイッチが操作され、「加熱」が選択されたときの表示部の表示状態を示す図であり、図３（ｄ）は、本発明の実施の形態１における加熱メニューが設定されていない状態において第２のスイッチが操作され、「揚げ物」が選択されたときの表示部の表示状態を示す図であり、図３（ｅ）は、本発明の実施の形態１における加熱メニューが設定された状態において第１のスイッチまたは第２のスイッチが操作され、「焼き物」が選択されたときの表示部の表示状態を示す図であり、図３（ｆ）は、本発明の実施の形態１において、加熱メニューとして「焼き物」が設定されたときの表示部の表示状態を示す図である。
【００４２】
使用者がトッププレート２上に載置した被加熱物１を加熱するために、操作部７に配置された電源スイッチ１０を操作すると、操作部７に配置された各スイッチ及び表示部８に電力が供給され、操作部７によって被加熱物１の加熱条件を設定できるようになる。
【００４３】
図３（ａ）及び（ｂ）に示すように、電源スイッチ１０が操作されていない状態（図３（ａ）に示す状態）において、使用者によって電源スイッチ１０が操作されると、制御部９は、表示部８に配置された電源ランプ１３を点灯させ、電源がオンになったことを使用者に報知する（図３（ｂ）に示す状態）。このとき、使用者によって電源スイッチ１０が操作され、電源がオンされた状態においては、トッププレート２上に載置された被加熱物１を加熱する加熱メニューは設定されていないため、制御部９は、使用者によって電源スイッチ１０が操作されると、第１のスイッチ５及び第２のスイッチ６を自動的にトッププレート２に載置された被加熱物１を加熱する加熱メニューを選択するスイッチとして動作させる。
【００４４】
次に、使用者によって、第１のスイッチ５または第２のスイッチ６が操作されると、予め設定された複数の加熱メニューの中から１つの加熱メニューが選択される。この時、制御部９は、第１のスイッチ５及び第２のスイッチ６によって選択可能な加熱メニューの全部または一部を表示部８に表示させると共に、使用者によって選択された加熱メニューを点滅させることで、使用者が選択している加熱メニューがどれであるかを識別可能にして
いる。
【００４５】
具体的には、図３（ｃ）に示すように、被加熱物１を加熱する加熱メニューが設定されていない状態において、使用者によって第１のスイッチ５が操作されると、誘導加熱調理器１００に予め設定された複数の加熱メニューのうち、「加熱」が選択される。このとき、制御部９は、誘導加熱調理器１００に予め設定されている「加熱」、「焼き物」、及び「揚げ物」の全部の加熱メニューを表示部８に表示するとともに、使用者によって選択されている「加熱」を点滅させる。一方、図３（ｄ）に示すように、被加熱物１を加熱する加熱メニューが設定されていない状態において、使用者によって第２のスイッチ６が操作されると、誘導加熱調理器１００に予め設定された複数の加熱メニューのうち、「揚げ物」が選択される。このとき、制御部９は、誘導加熱調理器１００に予め設定されている「加熱」、「焼き物」、及び「揚げ物」の全部の加熱メニューを表示部８に表示するとともに、使用者によって選択されている「揚げ物」を点滅させる。
【００４６】
なお、本実施の形態においては、使用者が選択している加熱メニューがどれであるかを識別方法として、使用者によって選択された加熱メニューを点滅させる構成について説明するが、使用者が選択している加熱メニューがどれであるかを識別方法としては、例えば、表示部８に表示されている複数の加熱メニューのうち、使用者によって選択されている加熱メニューを表示する輝度を使用者によって選択されていない他の加熱メニューを表示する輝度よりも高輝度にするなど、使用者によって選択されている加熱メニューと使用者によって選択されていない加熱メニューとの表示方法を異ならせることで、使用者が選択している加熱メニューがどれであるかを識別できる方法であればよい。
【００４７】
次に、複数の加熱メニューのうちの１つが選択されている状態において、使用者によって第１のスイッチ５または第２のスイッチ６が再度操作されると、使用者によって操作されたスイッチに応じて加熱メニューが選択されるとともに、使用者によって選択された加熱メニューが点滅される。
【００４８】
具体的には、図３（ｅ）に示すように、使用者が第１のスイッチ５を操作して「加熱」を選択している状態において、使用者によって第１のスイッチ５が操作されると、「焼き物」が選択される。このとき、制御部９は、使用者によって選択された加熱メニューが「加熱」から「焼き物」に変更されたことを使用者に報知するために、表示部８に表示された「加熱」の点滅を停止するとともに、表示部８に表示された「焼き物」を点滅させる。また、使用者が第１のスイッチ５を操作して「焼き物」を選択している状態において、使用者によって第１のスイッチ５が操作されると、「揚げ物」が選択される。このとき、制御部９は、使用者によって選択された加熱メニューが「焼き物」から「揚げ物」に変更されたことを使用者に報知するために、表示部８に表示された「焼き物」の点滅を停止するとともに、表示部８に表示された「揚げ物」を点滅させる。さらに、使用者が第１のスイッチ５を操作して「揚げ物」を選択している状態において、使用者によって第１のスイッチ５が操作されると、「加熱」が選択される。このとき、制御部９は、使用者によって選択された加熱メニューが「揚げ物」から「加熱」に変更されたことを使用者に報知するために、表示部８に表示された「揚げ物」の点滅を停止するとともに、表示部８に表示された「加熱」を点滅させる。また、使用者が第１のスイッチ５を操作して「加熱」を選択している状態において、使用者によって第２のスイッチ６が操作されると、「揚げ物」が選択される。このとき、制御部９は、使用者によって選択された加熱メニューが「加熱」から「揚げ物」に戻されたことを使用者に報知するために、表示部８に表示された「加熱」の点滅を停止するとともに、表示部８に表示された「揚げ物」を再度点滅させる。
【００４９】
一方、使用者が第２のスイッチ６を操作して「揚げ物」を選択している状態において、使用者によって第２のスイッチ６が操作されると、「焼き物」が選択される。このとき、
制御部９は、使用者によって選択された加熱メニューが「揚げ物」から「焼き物」に変更されたことを使用者に報知するために、表示部８に表示された「揚げ物」の点滅を停止するとともに、表示部８に表示された「焼き物」を点滅させる。また、使用者が第２のスイッチ６を操作して「焼き物」を選択している状態において、使用者によって第２のスイッチ６が操作されると、「加熱」が選択される。このとき、制御部９は、使用者によって選択された加熱メニューが「焼き物」から「加熱」に変更されたことを使用者に報知するために、表示部８に表示された「焼き物」の点滅を停止するとともに、表示部８に表示された「加熱」を点滅させる。さらに、使用者が第２のスイッチ６を操作して「加熱」を選択している状態において、使用者によって第２のスイッチ６が操作されると、「揚げ物」が選択される。このとき、制御部９は、使用者によって選択された加熱メニューが「加熱」から「揚げ物」に変更されたことを使用者に報知するために、表示部８に表示された「加熱」の点滅を停止するとともに、表示部８に表示された「揚げ物」を点滅させる。また、使用者が第２のスイッチ６を操作して「揚げ物」を選択している状態において、使用者によって第１のスイッチ５が操作されると、「加熱」が選択される。このとき、制御部９は、使用者によって選択された加熱メニューが「揚げ物」から「加熱」に戻されたことを使用者に報知するために、表示部８に表示された「揚げ物」の点滅を停止するとともに、表示部８に表示された「加熱」を再度点滅させる。
【００５０】
すなわち、本実施の形態においては、第１のスイッチ５が操作されると、第１のスイッチ５が操作される毎に、複数の加熱メニューが一方向に順次選択されるとともに、第２のスイッチ６が操作されると、第２のスイッチ６が操作される毎に、複数の加熱メニューが、第１のスイッチ５が操作された場合とは逆方向に順次選択されるように構成されている。例えば、誘導加熱調理器１００の予め設定された加熱メニューとして、１０個の加熱メニュー（メニューＡ、メニューＢ、メニューＣ、メニューＤ、メニューＥ、メニューＦ、メニューＧ、メニューＨ、メニューＩ、メニューＪ）が設定されており、１０個の加熱メニューが表示部８に時計回りの順番で配置されている場合を想定すると、メニューＢの状態からメニューＪに選択を移動するには時計回りに選択していくと８回操作しなければならないが、反時計回りに選択していけば２回の操作で済む。また、現在選択している加熱メニューがメニューＢであり、選択したい加熱メニューがメニューＥであった場合を想定すると、時計回りに選択していくことができる第１のスイッチ５の操作回数を誤ってメニューＥを通り過ぎ、メニューＦの選択状態となってしまった場合でも、次に反時計回りに選択していくことができる第２のスイッチ６を操作することで、１回の操作でメニューＥに戻ることができる。
【００５１】
次に、使用者が複数の加熱メニューの中から１つの加熱メニューを選択した状態で、使用者がスタートスイッチ１２を操作すると、選択されている加熱メニューが設定され、加熱メニューに応じた加熱動作が開始される。このとき、制御部９は、使用者によって設定された加熱メニューのみを表示部８に表示させ、点滅させることで、使用者によって設定された加熱メニューがどれであるかを使用者に報知している。また、制御部９は、使用者によって設定された加熱メニュー以外に、火力や目標温度など、現在の加熱状態に関する情報を表示部に表示させている。
【００５２】
具体的には、「焼き物」が選択された状態で使用者がスタートスイッチ１２を操作すると、被加熱物１の加熱メニューとして「焼き物」が設定される。このとき、図３（ｆ）に示すように、制御部９は、表示部８に表示されていた「加熱」、「焼き物」、及び「揚げ物」のうち、使用者によって設定された「焼き物」のみを表示部８に表示させるとともに、「焼き物」の表示を点滅させる。
【００５３】
使用者によってトッププレート２上に載置された被加熱物１の加熱メニューが設定されると、制御部９は、使用者によって設定された加熱メニューに応じて、第１のスイッチ５
及び第２のスイッチ６の機能を自動的に変更する。
【００５４】
すなわち、例えば、使用者によって設定された加熱メニューが「加熱」である場合、制御部９は、表示部８に被加熱物１を加熱する火力を表示させるとともに、第１のスイッチ５をトッププレート２に載置された被加熱物１を加熱する火力を増加させるスイッチとし、第２のスイッチ６をトッププレート２に載置された被加熱物１を加熱する火力を減少させるスイッチとする。そして、制御部９は、使用者によって、第１のスイッチ５が操作されると被加熱物１を加熱する火力が増加され、第２のスイッチ６が操作されると火力が減少されるように、加熱コイル４に供給される高周波電流を制御している。また、例えば、使用者によって設定された加熱メニューが「焼き物」や「揚げ物」である場合、制御部９は、表示部８に被加熱物１の目標温度を表示させるとともに、第１のスイッチ５をトッププレート２に載置された被加熱物１の目標温度を増加させるスイッチとし、第２のスイッチ６をトッププレート２に載置された被加熱物１の目標温度を減少させるスイッチとする。そして、制御部９は、使用者によって、第１のスイッチ５が操作されると被加熱物１の目標温度を上昇させるとともに、第２のスイッチ６が操作されると被加熱物１の目標温度が低下させるように、加熱コイル４に供給される高周波電流を制御する。さらに、例えば、使用者によって設定された加熱メニューの実行中に、他のスイッチ操作によって、タイマー時間が設定可能な状態となった場合、制御部９は、第１のスイッチ５をタイマー設定された時間を増加させるスイッチとし、第２のスイッチ６をタイマー設定された時間を減少させるスイッチとする。そして、制御部９は、第１のスイッチ５が操作されるとタイマー設定された時間が長くなるとともに、第２のスイッチ６が操作されるとタイマー設定された時間が短くなるように制御する。このように、第１のスイッチ５及び第２のスイッチ６は、使用者によって設定された加熱メニューや設定状態に応じて、第１のスイッチ５が操作されると設定値が大きくなる方向に変化し、第２のスイッチ６が操作されると設定値が小さくなる方向に変化するように構成されている。
【００５５】
以上のように、本実施の形態においては、制御部９は、トッププレート２に載置された被加熱物１を加熱する加熱メニューが設定されていない場合は、第１のスイッチ５及び第２のスイッチ６をトッププレート２に載置された被加熱物１を加熱する加熱メニューを選択するスイッチとするため、第１のスイッチ５及び第２のスイッチ６とは別に、第１のスイッチ５及び第２のスイッチ６を被加熱物１の加熱メニューを選択するスイッチとするためのスイッチを操作部７に配置することなく、第１のスイッチ５及び第２のスイッチ６によって、被加熱物１を加熱する加熱メニューを選択することができる。そのため、操作部７の構成を簡素化することができ、誘導加熱調理器１００の使い勝手を向上させることができる。
【００５６】
また、本実施の形態においては、使用者は第１のスイッチ５及び第２のスイッチ６の２つのスイッチによって複数の加熱メニューの中から所定の加熱メニューを選択することができるとともに、第１のスイッチ５が操作されるごとに選択される加熱メニューの順序と第２のスイッチ６が操作されるごとに選択される加熱メニューの順序とが逆の順序となるように構成されているため、誘導加熱調理器１００に予め設定されている加熱メニューの数が多い場合であっても、加熱メニューを選択するためのスイッチが１つだけ配置されている構成に比べ、使用者が選択したい加熱メニューを選択するまでに第１のスイッチ５または第２のスイッチ６を操作する回数を低減することができ、誘導加熱調理器１００の使い勝手を向上させることができる。また、使用者が第１のスイッチ５及び第２のスイッチ６の操作回数を誤ってしまい、選択したい加熱メニューを行き過ぎてしまった場合でも、誤って操作したスイッチとは逆のスイッチを操作することで、加熱メニューの選択を戻すことができるため、少ない操作回数で選択したい加熱メニューを選択することができ、誘導加熱調理器１００の使い勝手を向上することができる。
【００５７】
さらに、制御部９は、トッププレート２に載置された被加熱物１を加熱する加熱メニューが設定された場合は、使用者によって設定された加熱メニューや設定状態に応じて、第１のスイッチ５及び第２のスイッチ６の機能を切り替えるように構成されているため、それぞれの機能にあわせてスイッチを操作部７に配置することなく、第１のスイッチ５及び第２のスイッチ６によって各機能の設定値を変更することができる。そのため、操作部７の構成を簡素化することができ、誘導加熱調理器１００の使い勝手を向上させることができる。特に、制御部９は、トッププレート２に載置された被加熱物１を加熱する加熱メニューが設定された場合に、第１のスイッチ５をトッププレートに載置された被加熱物１を加熱する火力を増加させるスイッチとするとともに、第２のスイッチ６をトッププレート２に載置された被加熱物１を加熱する火力を減少させるスイッチとする構成においては、第１のスイッチ５及び第２のスイッチ６とは別に、第１のスイッチ５及び第２のスイッチ６をトッププレートに載置された被加熱物を加熱する火力を増加及び減少させるスイッチとするためのスイッチを操作部７に配置することなく、第１のスイッチ５及び第２のスイッチ６によって、被加熱物を加熱する火力を増加及び減少させることができる。そのため、操作部７の構成を簡素化することができ、誘導加熱調理器１００の使い勝手を向上させることができる。
【００５８】
なお、上述した実施の形態１においては、使用者によって電源スイッチ１０が操作され、電源がオンされた際に、制御部９が第１のスイッチ５及び第２のスイッチ６を自動的にトッププレート２に載置された被加熱物１を加熱する加熱メニューを選択するスイッチとして動作させる構成について説明したが、制御部９は、トッププレート２に載置された被加熱物１を加熱する加熱メニューが設定されていない状態において、第１のスイッチ５及び第２のスイッチ６をトッププレート２に載置された被加熱物１を加熱する加熱メニューを選択するスイッチとして動作させればよく、例えば、使用者が操作部７に配置された複数のスイッチのうちの何れか１つのスイッチ（例えば、第１のスイッチ５、第２のスイッチ６、スタートスイッチ１２のうちの何れか１つのスイッチ）を操作した際に、制御部９が第１のスイッチ５及び第２のスイッチ６を自動的にトッププレート２に載置された被加熱物１を加熱する加熱メニューを選択するスイッチとして動作させるように構成されていてもよい。この構成においても、上述した実施の形態１と同様の効果を奏することができる。
【００５９】
（実施の形態２）
本発明の誘導加熱調理器の実施の形態２について、以下、図４を用いて説明する。なお、上述した実施の形態１と同一または相当部分には同一番号を付し、重複する説明は省略する。
【００６０】
本実施の形態においては、トッププレート２上に載置された被加熱物１を加熱する加熱メニューが設定されていない状態において、第１のスイッチ５または第２のスイッチ６が操作されると、予め設定された第１の加熱メニューが選択されるとともに、第１のメニューが選択された状態において、第１のスイッチ５または第２のスイッチ６が操作されると、操作されたスイッチに応じて各々異なる加熱メニューが選択されるように構成した点で上述した実施の形態１と相違する。
【００６１】
図４は、本発明の実施の形態２における加熱メニュー選択時のフローチャート図である。
【００６２】
図４に示すように、誘導加熱調理器１００を用いて被加熱物１を加熱する場合、使用者は、操作部７に配置された電源スイッチ１０を操作し、誘導加熱調理器１００の電源をオンする。ステップ１０１において、制御部９は、使用者によって電源スイッチ１０が操作されたかどうかを検知する。ステップ１０１において、制御部９は、使用者によって電源
スイッチ１０が操作された場合、誘導加熱調理器１００の電源をオンするとともに、ステップ１０２にて、第１のスイッチ５または第２のスイッチ６が操作されたかどうかを判断する。一方、ステップ１０１において、制御部９は、使用者によって電源スイッチ１０が操作されていない場合は、誘導加熱調理器１００の電源がオフされた状態を維持するとともに、使用者によって電源スイッチ１０が操作されたかどうかを再度検知する。
【００６３】
使用者によって電源スイッチ１０が操作され、電源がオンされると、ステップ１０２にて、制御部９は、第１のスイッチ５または第２のスイッチ６が操作されたかどうかを検知する。ステップ１０２にて、制御部９は、第１のスイッチ５または第２のスイッチ６が操作されたことを検知すると、ステップ１０３にて、予め設定された第１の加熱メニューが選択される。すなわち、本実施の形態においては、誘導加熱調理器１００の電源が投入され、トッププレート２に載置された被加熱物１を加熱する加熱メニューが設定されていない状態において、使用者によって第１のスイッチ５または第２のスイッチ６が操作された場合、使用者によって操作されたスイッチに関わらず、同一の加熱メニューが選択されるように構成している。
【００６４】
一方、ステップ１０２にて、制御部９は、第１のスイッチ５または第２のスイッチ６が操作されていないことを検知すると、第１のスイッチ５または第２のスイッチ６が操作されたかどうかを再度検知する。
【００６５】
ここで、本実施の形態においては、第１の加熱メニューとして、使用者が誘導加熱調理器１００を使用して被加熱物１を加熱する際に、使用頻度が高い加熱メニューである「加熱」を設定している。なお、本実施の形態においては、誘導加熱調理器１００の電源が投入され、トッププレート２に載置された被加熱物１を加熱する加熱メニューが設定されていない状態において第１のスイッチ５または第２のスイッチ６が操作された際に、第１の加熱メニューとして使用頻度の高い「加熱」が選択されるように構成したが、トッププレート２に載置された被加熱物１を加熱する加熱メニューが設定されていない状態において第１のスイッチ５または第２のスイッチ６が操作された際に共通の加熱メニューが表示されればよく、例えば、第１のメニューとして、誘導加熱調理器の加熱メニューとして使用者に訴求したい加熱メニューや使用者へのアンケート調査で決定された使用頻度の高い加熱メニューなどが設定されていてもよい。
【００６６】
ステップ１０３にて、第１の加熱メニューである「加熱」が選択されたとき、制御部９は、誘導加熱調理器１００に予め設定されている「加熱」、「焼き物」、及び「揚げ物」の全部の加熱メニューを表示部８に表示するとともに、表示部８に表示された「加熱」を点滅させることで、使用者によって選択されている加熱メニューが「加熱」であることを使用者に報知する。
【００６７】
第１のスイッチ５または第２のスイッチ６が操作され、第１の加熱メニューが選択されると、ステップ１０４にて、制御部９は、第１のスイッチ５が操作されたかどうかを検知する。ステップ１０４にて、第１のスイッチ５が操作されたことが検知された場合、ステップ１０５にて、第２の加熱メニューが選択される。一方、ステップ１０４にて、第１のスイッチ５が操作されていないことが検知された場合、制御部９は、ステップ１０６にて、第２のスイッチ６が操作されたかどうかを検知する。ステップ１０６にて、第２のスイッチ６が操作されたことが検知された場合、ステップ１０７にて、第３の加熱メニューが選択される。一方、ステップ１０６にて、第２のスイッチ６が操作されていないことが検知された場合、制御部９は、第１のスイッチ５が操作されたかどうかを再度検知する。
【００６８】
すなわち、本実施の形態においては、第１の加熱メニューが選択された状態において、使用者によって第１のスイッチ５または第２のスイッチ６が操作された場合、使用者によ
って操作されたスイッチに応じて、異なる加熱メニューが選択されるように構成している。
【００６９】
ここで、本実施の形態においては、第２の加熱メニューとして「焼き物」、第３の加熱メニューとして「揚げ物」を設定している。なお、本実施の形態においては、第２の加熱メニューとして「焼き物」、第３の加熱メニューとして「揚げ物」が設定されている構成について説明したが、第２の加熱メニュー及び第３の加熱メニューには異なる加熱メニューが設定されていればよく、第２の加熱メニュー及び第３の加熱メニューは、誘導加熱調理器１００に予め設定された複数の加熱メニュー、使用者へのアンケート調査、及び訴求したい加熱メニューなどに応じて設定されていればよい。
【００７０】
また、複数の加熱メニューが所定の順序で配置されている場合、例えば、ステップ１０４、及び、ステップ１０６において、第１のスイッチ５が操作された際に加熱メニューが選択されていく方向と、第２のスイッチ６が操作された際に加熱メニューの選択されていく方向とを異なる方向となるように構成するなど、加熱メニューが選択される順序や方向を工夫することで、誘導加熱調理器１００の操作性をさらに向上させることできる。
【００７１】
ステップ１０４またはステップ１０６にて、第１のスイッチ５または第２のスイッチ６が操作され、第２の加熱メニューである「焼き物」または第３の加熱メニューである「揚げ物」が選択されたとき、制御部９は、使用者によって選択されている加熱メニューに応じて、表示部８に表示された「焼き物」または「揚げ物」を点滅させることで、使用者によって選択されている加熱メニューが「焼き物」または「揚げ物」であることを使用者に報知する。
【００７２】
以上のように、本実施の形態においては、トッププレート２に載置された被加熱物１を加熱する加熱メニューが設定されていない状態において、第１のスイッチ５または第２のスイッチ６が操作されると、予め設定された第１の加熱メニューが選択される構成としているため、例えば、第１の加熱メニューとして、複数の加熱メニューの中で使用頻度の高い加熱メニューを予め設定しておくことで、トッププレート２に載置された被加熱物１を加熱する加熱メニューを選択する際に、第１のスイッチ５または第２のスイッチ６の最初の操作で使用頻度の高い加熱メニューを選択することができ、誘導加熱調理器１００の使い勝手を向上させることができる。
【００７３】
また、本実施の形態において、第１の加熱メニューが選択された状態において、第１のスイッチ５が操作されると、予め設定された第２の加熱メニューが選択されるとともに、第１の加熱メニューが選択された状態において、第２のスイッチ６が操作されると、予め設定された第３のメニューが選択される構成としているため、第１の加熱メニューが選択された後に、第１のスイッチ５または第２のスイッチ６が操作されると、操作されたスイッチに応じて異なる加熱メニューを選択される構成になる。そのため、使用者が選択したい加熱メニューを選択するまでに第１のスイッチ５または第２のスイッチ６を操作する回数を低減することができ、誘導加熱調理器の使い勝手を向上させることができる。
【００７４】
なお、本実施の形態においては、トッププレート２に載置された被加熱物１を加熱する加熱メニューが設定されていない状態において、第１のスイッチ５または第２のスイッチ６が操作されると、操作されたスイッチに関係なく、第１の加熱メニューが選択されるとともに、第１の加熱メニューが選択された状態において第１のスイッチ５または第２のスイッチ６が操作されると、操作されたスイッチに応じて異なる加熱メニューが選択される構成について説明したが、第１の加熱メニューが選択された状態において第１のスイッチ５または第２のスイッチ６が操作されると、操作されたスイッチに関係なく、例えば、第４の加熱メニューが選択されるとともに、第４の加熱メニューが選択された状態において
第１のスイッチ５または第２のスイッチ６が操作されると、操作されたスイッチに応じて異なる加熱メニューが選択されるように構成されていてもよい。また、上述のように構成された場合、第１の加熱メニューと同様に、第４の加熱メニューとして使用頻度の高い加熱メニューが設定されていることが好ましい。
【００７５】
この構成においても上述した実施の形態２と同様、トッププレート２に載置された被加熱物１を加熱する加熱メニューを選択する際に、第１のスイッチ５または第２のスイッチ６の操作で使用頻度の高い加熱メニューを選択することができ、誘導加熱調理器１００の使い勝手を向上させることができる。
【００７６】
（実施の形態３）
本発明の誘導加熱調理器の実施の形態３におけるについて、図５を用いて説明する。なお、上述した実施の形態１及び実施の形態２と同一または相当部分には同一符号を付し、重複する説明は省略する。
【００７７】
図５は、本発明の実施の形態３における第１の表示が表示された状態を示す表示部の概略図である。
【００７８】
本実施の形態においては、第１のスイッチ５及び第２のスイッチ６が予め設定された複数の加熱メニューの中からトッププレート２に載置された被加熱物１を加熱する加熱メニューを選択するスイッチとして動作している場合、表示部８には、第１のスイッチ５及び第２のスイッチ６によって加熱メニューが選択可能であることを使用者に報知する第１の表示１４が表示されている点で、上述して実施の形態１及び実施の形態２と相違する。
【００７９】
図５に示すように、第１のスイッチ５及び第２のスイッチ６は、操作部７の左右方向に隣接して配置されている。
【００８０】
トッププレート２上に載置された被加熱物１を加熱する加熱メニューが設定されていない状態において、第１のスイッチ５及び第２のスイッチ６は、トッププレート２に載置された被加熱物１を加熱する加熱メニューを選択するスイッチとして動作している。このとき、制御部９は、第１のスイッチ５及び第２のスイッチ６の上部に位置する表示部８に、第１のスイッチ５及び第２のスイッチ６が加熱メニューを選択するスイッチとして動作していることを使用者に報知する第１の表示１４を表示しており、第１の表示１４は、第１の表示の少なくとも一部が第１のスイッチ５及び第２のスイッチ６の左右幅の範囲内に位置してするように表示されている。
【００８１】
ここで、第１の表示１４は、第１のスイッチ５及び第２のスイッチ６を操作することによって加熱メニューが選択可能であることを使用者に認識させることができる形状であればよく、例えば、図５に示すように、「メニュー」などの文字を四角などの図形で囲んで表示させたものや、「メニュー」などの文字のみを表示させたものであってもよく、その形状は特に限定されない。
【００８２】
この構成により、第１のスイッチ５及び第２のスイッチ６がトッププレート２に載置された被加熱物１を加熱する加熱メニューを選択するスイッチとされていることを使用者に報知することができる。そのため、使用者は、第１のスイッチ５及び第２のスイッチ６が加熱メニューを選択するスイッチとされていることを容易に判別することができるため、誘導加熱調理器１００の使い勝手を向上させることができる。
【００８３】
なお、第１のスイッチ５および第２のスイッチ６が他の機能を操作するスイッチである場合など、第１のスイッチ５及び第２のスイッチ６が加熱メニューを選択するスイッチで
ない場合には、第１の表示１４を表示しないことが好ましい。
【００８４】
この構成により、使用者が第１のスイッチ５及び第２のスイッチ６の機能を誤って認識することを防止することができ、誘導加熱調理器の使い勝手を向上させることができる。
【００８５】
（実施の形態４）
本発明の誘導加熱調理器の実施の形態４について、図６を用いて説明する。なお、上述した実施の形態１〜実施の形態３と同一または相当部分には同一符号を付し、重複する説明は省略する。
【００８６】
図６は、本発明の実施の形態４における第１の表示の変形例が表示された状態を示す表示部の概略図である。
【００８７】
本実施の形態において、第１の表示１４は、図形と文字との組み合わせからなる点で、上述した実施の形態３とは異なる。
【００８８】
図６に示すように、制御部９は、第１のスイッチ５及び第２のスイッチ６の上部に位置する表示部８に、第１のスイッチ５及び第２のスイッチ６が加熱メニューを選択するスイッチとして動作していることを使用者に報知する第１の表示１４を表示しており、第１の表示１４は、第１の表示の少なくとも一部が第１のスイッチ５及び第２のスイッチ６の左右幅の範囲内に位置してするように表示されている。また、第１の表示１４は、図形と文字との組み合わせで構成されている。
【００８９】
図６に示すように、本実施の形態において、第１の表示１４は、図形である下向きの三角形と、下向きの三角形の間に配置された「メニュー」という文字との組み合わせで構成されている。また、第１の表示１４は、下向きの三角形の頂点が第１のスイッチ５及び第２のスイッチ６の上部に位置するように表示部８に表示されている。
【００９０】
ここで、図形としては、丸、三角、四角、矢印など、どのような形状であってもよい。
【００９１】
以上のようなに、第１の表示１４が図形と文字との組み合わせによって構成されていることで、例えば、第１のスイッチ５及び第２のスイッチ６の操作を促す形状を図形で表現し、第１のスイッチ５および第２のスイッチ６が加熱メニューを選択するスイッチとされていることを文字によって表現するなど、多種多様な表現が可能となる。そのため、使用者は、第１のスイッチ５及び第２のスイッチ６が加熱メニューを選択するスイッチとされていることをより容易に判別することができ、誘導加熱調理器１００の使い勝手をさらに向上させることができる。
【００９２】
また、第１の表示１４が、複数の図形と複数の図形の間に配置された文字との組み合わせによって構成されていることで、第１の表示１４の複数の図形と文字に一体感をもたせることが可能となり、第１の表示１４の視認性を向上させることができる。そのため、使用者は、第１のスイッチ５及び第２のスイッチ６が加熱メニューを選択するスイッチとされていることをより容易に判別することができ、誘導加熱調理器１００の使い勝手を向上させることができる。
【００９３】
なお、上述した実施の形態４においては、第１の表示１４が、複数の図形と複数の図形の間に配置された文字との組み合わせからなる構成について説明したが、第１の表示１４は図形と文字との組み合わせによって構成されていればよく、図形の数や形状、文字の数や内容については特に限定されない。この構成においても、使用者は、第１のスイッチ５及び第２のスイッチ６が加熱メニューを選択するスイッチとされていることをより容易に
判別することができ、誘導加熱調理器１００の使い勝手をさらに向上させることができる。
【産業上の利用可能性】
【００９４】
本発明の誘導加熱調理器によれば、操作部を簡素化することができ、使い勝手のよい誘導加熱調理器を提供することが可能となるので、家庭用及び業務用の誘導加熱調理器の分野、用途に好適に適用することができる。
【符号の説明】
【００９５】
１  被加熱物
２  トッププレート
３  本体
４  加熱コイル
５  第１のスイッチ
６  第２のスイッチ
７  操作部
７ａ  決定スイッチ
８  表示部
９  制御部
１０  電源スイッチ
１１  加熱部
１２  スタートスイッチ
１３  電源ランプ
１４  第１の表示
１００  誘導加熱調理器
【図１】
2018049712.tif 000003
【図２】
2018049712.tif 000004
【図３】
2018049712.tif 000005
【図４】
2018049712.tif 000006
【図５】
2018049712.tif 000007
【図６】
2018049712.tif 000008
【図７】
2018049712.tif 000009